(57)【特許請求の範囲】
【請求項１】
ペットを内部に収容可能なペット用ケースに使用される中敷きにおいて、
前記中敷きは、前記ペットが座る座面を有してマット状で形成され、
前記中敷きの座面とペットの間に介挿されて使用されるペットシーツを有し、前記ペットシーツは、
吸収体部分と、吸収体部分の周囲に設けられた周辺部分とからなり、
ボールサイドとソケットサイドとからなるスナップを複数備え、前記ペットシーツの周辺部分を複数のボールサイドとソケットサイドとからなるスナップで挟持して前記中敷き座面を被覆し、固定すること
を特徴とするペット用ケース用中敷き。
【請求項２】
前記スナップは、前記中敷き本体の端部に配されたことを特徴とする請求項１記載のペット用ケース用中敷き。
【請求項３】
前記ソケットサイド（又はボールサイド）は、前記中敷き本体に配された前記ボールサイド（又はソケットサイド）の近傍にて少なくとも一端を前記中敷き本体に固定された支持部に配されたことを特徴とする請求項１又は請求項２に記載のペット用ケース用中敷き。
【請求項４】
前記スナップは、縫製によって前記中敷き本体と前記ボールサイド（又はソケットサイド）、前記支持部と前記ソケットサイド（又はボールサイド）を固定することを特徴とする請求項３記載のペット用ケース用中敷き。
【請求項５】
前記ペットシーツは、前記中敷きの座面を被覆して、該端部を前記中敷きの下面側に折り返して前記中敷き本体の下面側に設けられた前記スナップにより狭持して固定されることを特徴とする請求項１乃至請求項４のうちいずれか１に記載のペット用ケース用中敷き。
【請求項６】
前記中敷き本体は、柔軟性素材によって構成されることを特徴とする請求項１乃至請求項５記載のうちいずれか１に記載のペット用ケース用中敷き。
【請求項７】
前記中敷き本体は、中空の包袋状をなし、内部に芯部を収納可能であることを特徴とする請求項１乃至請求項６のうちいずれか１に記載のペット用ケース用中敷き。
【請求項８】
少なくとも底面及び側面を有し、ペットを内部に収容可能な収容体からなるペット用ケースにおいて、
吸収体部分と、吸収体部分の周囲に設けられた周辺部分とを有するペットシーツと、
前記底面上に敷設される中敷きとを有し、
前記中敷きは、前記ペットが座る座面を有してマット状で形成され、
ボールサイドとソケットサイドとからなるスナップを複数備え、
前記中敷きの座面とペットの間に介挿されて使用される前記ペットシーツが、前記中敷きの座面を被覆して前記周辺部分をボールサイドとソケットサイドとで挟持して固定すること
を特徴とするペット用ケース。
【請求項９】
少なくとも座面を有する空間に敷設されるペットシーツの固定機構において、
前記座面に配された凸型のボールサイド（又は座面に設けられた凹型のソケットサイド）と、該ボールサイド（又は該ソケットサイド）に嵌合し得る凹型のソケットサイド（又は凸型のボールサイド）からなり、
前記ボールサイドの凸部と前記ソケットサイドの凹部の間にペットシーツを狭持して固定すること
を特徴とするペットシーツの固定機構。
【請求項１０】
前記ペットシーツは、吸収体部分と、吸収体部分の周囲に設けられた周辺部分とを有し、前記ペットシーツの周辺部分を前記スナップで狭持することを特徴とする請求項９記載のペットシーツの固定機構。
【請求項１１】
前記ボールサイドの凸部は、先端方向に拡開し、該ボールサイドと嵌合可能な前記ソケットサイドは凹型でなり、凹部の開口側の幅は底面側の幅よりも漸次小であることを特徴とする請求項９又は請求項１０記載のペットシーツの固定機構。
【請求項１２】
前記ボールサイドは、前記座面に一体成形されたことを特徴とする請求項９乃至請求項１１のうちいずれか１に記載のペットシーツの固定機構。
【請求項１３】
前記ボールサイドは、粘着性部材で前記座面に固定されたことを特徴とする請求項９乃至請求項１２のうちいずれか１に記載のペットシーツの固定機構。
【発明の詳細な説明】
【０００１】
【発明の属する技術分野】
本発明は、犬や猫等のペットを収容可能なペット用ケース及びペット用ケース用中敷き並びにペットシーツの固定機構に関する。
【０００２】
【従来の技術】
従来、屋内において、犬や猫等のペットを一時、所定の位置に係留する場合や、ペットを列車、自動車などの車両に乗せる場合には、汚損防止用かつ逃走防止用のペット用ケースを使用して、このペット用ケース内にペットを収納することが日常的に行われている。また、ペット用ケース自体の汚損防止、かつ、ペットの居住性の向上を図るべく、ペット用ケースの底面（座面）にペットシーツを敷設することが一般的に行われている。
【０００３】
【発明が解決しようとする課題】
しかしながら、ペット用ケースは、筐体型をなすため、場所をとるものであって、利便性に問題があり、収納時においては、折り畳みが可能であって、コンパクトに収納可能であることが好ましい。また、自動車内において、ペット用ケースを固定して使用した場合においては、ペット用ケース内へのペットの収納、ペット用ケース外へのペットの取り出しが困難であり、ペットの出し入れに手間取るとペットがペット用ケースを嫌悪してしまうおそれもある。さらに、ペット用ケース等に敷設されるペットシーツの固定機構としては、実用新案登録第３０４００４３号等の如く種々提案されているが、非常に複雑な構成を採り、コストも高く、シーツの交換、取り付けも面倒である。
【０００４】
本発明は、上記の点に鑑みてなされたものであって、収納時においてコンパクトに収納可能であり、使用時においてはペットの出し入れが容易に達成可能なペット用ケース、ペットシーツを簡単な構造で容易に固定可能なペット用ケース用中敷き並びにペットシーツの固定機構を提供することによってペット用ケースの利便性を向上させることを目的とする。
【００１０】
【課題を解決するための手段】
本発明によるペット用ケース用中敷きは、ペットを内部に収容可能なペット用ケースに使用される中敷きにおいて、前記中敷きは、前記ペットが座る座面を有してマット状で形成され、前記中敷きの座面とペットの間に介挿されて使用されるペットシーツを有し、前記ペットシーツは、吸収体部分と、吸収体部分の周囲に設けられた周辺部分とからなり、ボールサイドとソケットサイドとからなるスナップを複数備え、前記ペットシーツの周辺部分を複数のボールサイドとソケットサイドとからなるスナップで挟持して前記中敷き座面を被覆し、固定することを特徴とする。
【００１１】
また、本発明によるペット用ケースは、少なくとも底面及び側面を有し、ペットを内部に収容可能な収容体からなるペット用ケースにおいて、吸収体部分と、吸収体部分の周囲に設けられた周辺部分とを有するペットシーツと、前記底面上に敷設される中敷きとを有し、前記中敷きは、前記ペットが座る座面を有してマット状で形成され、ボールサイドとソケットサイドとからなるスナップを複数備え、前記中敷きの座面とペットの間に介挿されて使用される前記ペットシーツが、前記中敷きの座面を被覆して前記周辺部分をボールサイドとソケットサイドとで挟持して固定することを特徴とする。
【００１２】
また、本発明によるペット用ケース用中敷きのスナップは、前記中敷き本体の端部に配されたことを特徴とする。
【００１３】
また、本発明によるペット用ケース用中敷きのソケットサイド（又はボールサイド）は、前記中敷き本体に配された前記ボールサイド（又はソケットサイド）の近傍にて少なくとも一端を前記中敷き本体に固定された支持部に配されたことを特徴とする。
【００１４】
また、本発明によるペット用ケース用中敷きのスナップは、縫製によって前記中敷き本体と前記ボールサイド（又はソケットサイド）、前記支持部と前記ソケットサイド（又はボールサイド）を固定することを特徴とする。
【００１５】
また、本発明によるペット用ケース用中敷きのペットシーツは、前記中敷きの座面を被覆して、該端部を前記中敷きの下面側に折り返して前記中敷き本体の下面側に設けられた前記スナップにより狭持して固定されることを特徴とする。
【００１６】
また、本発明によるペット用ケース用中敷きの中敷き本体は、柔軟性素材によって構成されることを特徴とする。
【００１７】
また、本発明によるペット用ケース用中敷きの中敷き本体は、中空の包袋状をなし、内部に芯部を収納可能であることを特徴とする。
【００１８】
また、本発明によるペットシーツの固定機構は、少なくとも座面を有する空間に敷設されるペットシーツの固定機構において、前記座面に配された凸型のボールサイド（又は座面に設けられた凹型のソケットサイド）と、該ボールサイド（又は該ソケットサイド）に嵌合し得る凹型のソケットサイド（又は凸型のボールサイド）からなり、前記ボールサイドの凸部と前記ソケットサイドの凹部の間にペットシーツを狭持して固定することを特徴とする。
【００１９】
また、本発明によるペットシーツの固定機構のペットシーツは、吸収体部分と、吸収体部分の周囲に設けられた周辺部分とを有し、前記ペットシーツの周辺部分を前記スナップで狭持することを特徴とする。
【００２０】
また、本発明によるペットシーツの固定機構のボールサイドの凸部は、先端方向に拡開し、該ボールサイドと嵌合可能な前記ソケットサイドは凹型でなり、凹部の開口側の幅は底面側の幅よりも漸次小であることを特徴とする。
【００２１】
また、本発明によるペットシーツの固定機構のボールサイドは、前記座面に一体成形されたことを特徴とする。
【００２２】
また、本発明によるペットシーツの固定機構のボールサイドは、粘着性部材で前記座面に固定されたことを特徴とする。
【００２３】
次に本発明によるペット用ケースの実施形態について、図１乃至図９を参照して説明する。
【００２４】
図１は、本発明によるペット用ケースを展開した状態を示す平面図、図２（ａ）及び（ｄ）は、本発明によるペット用ケースを組み立てる工程を示すものであり、（ａ）は、正面図、（ｂ）は、平面図、（ｃ）及び（ｄ）は、斜視図である。図３（ａ）乃至（ｄ）は、本発明によるペット用ケースを分解して、折り畳む工程を示すものであり、（ａ）乃至（ｃ）は、平面図、（ｄ）は、右側面図である。図４は、本発明によるペット用ケースを座席上に固定した状態を示す斜視図であり、枠線内は着脱部材（ファスナ）の部分拡大図である。図５は、本発明によるペット用ケースを座席上に固定した状態を示す斜視図であり、枠線内は固定状態を示す部分拡大図である。図６は、本発明によるペット用ケース内にペットを係留した状態を示す平面図、図７は、本発明によるペット用ケースの使用形態を示す斜視図、図８は、本発明によるペット用ケースにペットを出入りさせる場合の状態を示す斜視図、図９は、本発明によるペット用ケースを縦方向に座席上に固定した状態を示す斜視図である。
【００２５】
図１乃至図９に示すように、ペット用ケース１は、上面が開口した箱状に形成されて犬や猫等のペットを収容する収容体２と、収容体２を構成する側面２ｂ同士を互いに着脱可能な着脱部材４を有する。しかして、このペット用ケース１は、用途に応じて、収容体２を自動車等の車両の座席１０（図４参照）上に固定する固定部材３（図２（ｃ）及び図４参照）や、収容体２内に設けられて前記ペットを収容体２内に係留する係留部材７（図６）を用いることもできる。尚、ペット用ケースの符号１は、本発明によるペット用ケースの総称を表すものとして使用しており、前述した、収容体２、着脱部材４、固定部材３、係留部材７を含む概念である。
【００２６】
図２及び図４に示すように、収容体２は、底面２ａ、各側面２ｂ（２ｂ１乃至２ｂ４）は、夫々図４に示すように、基材２ｉと、基材２ｉを被覆する被覆部材２ｇと、基材２ｉと被覆部材２ｇとの間に設けられた弾性部材２ｈと、被覆部材２ｇの周縁に設けられて側面２ｂ同士を互いに固定する着脱部材４を有する。したがって、収容体２は、底面２ａと各側面２ｂの夫々が基材２ｉを有し、かつ、それらが、被覆部材２ｇで全体が被覆されて、連結されているので、境界部で折り曲げ可能となっており、展開及び組立が自在に可能である。
【００２７】
また、収容体２は、図１に示すように、底面２ａ及び前後左右の４つの面からなる側面２ｂによって構成されている。即ち、収容体２は、長方形状の底面２ａと、底面２ａの長手方向に隣接し、被覆部材によって連結されている側面２ｂ１と、側面２ｂ１に対向し、かつ底面２ａの長手方向に隣接し、被覆部材によって連結されている側面２ｂ２と、底面２ａの短手方向に隣接し、被覆部材によって連結されている側面２ｂ３と、側面２ｂ３に対向し、かつ底面２ａの短手方向に隣接し、被覆部材によって連結されている側面２ｂ４とからなる。
【００２８】
また、弾性部材２ｈは、ポリウレタン樹脂等からなり、基材２ｉと被覆部材２ｇとの間に介装され、外部からの衝撃を吸収可能であって、本実施の形態では、弾性部材２ｈは、基材２ｉを挟んで両面に介装されている。
【００２９】
図４に示すように、基材２ｉは、収容体２全体の剛性を向上して、組み立てた状態の収容体２の形状を保持するものであり、底面２ａ及び側面２ｂに対応した形状に形成され、各々の面は、被覆部材２ｇにより基材２ｉを包み込んで縫製されている。なお、基材２ｉは、所定の剛性を有するものであれば、合成樹脂、紙材、木材及び金属等の種々の素材を適宜選択可能であるが、合成樹脂は軽量で強度が大きく、しかもペットが収容体２を噛んだ場合でも悪影響を与える恐れがないことがないことから、基材２ｉの素材として好適である。
【００３０】
被覆部材２ｇは、基材２ｉを被覆して底面２ａ及び側面２ｂを連結部で折り曲げ可能に形成し、収容体２を組立及び展開自在に構成するものであり、織布、不織布、紙材、合成樹脂、合成繊維等の素材を適宜選択して使用することができる。本実施の形態では、被覆部材２ｇが綿製の織布から形成され通気性が確保されており、美的にも優れた外観を有する。
【００３１】
また、着脱部材４は、本実施の形態ではファスナを用いており、各側面２ｂの両側部に各々一組ずつ設けられ、側面２ｂ同士を自在に着脱可能である。したがって、着脱部材（ファスナ）４を矢印Ｘ’方向（図２（ｄ）及び図４参照）に引き下げれば、側面２ｂ同士を互いに解放して収容体２を容易に折り畳み可能である。
【００３２】
また、ペット用ケース１の収容体２の底面２ａ上には、ペットが座る座面を有し、底面２ａの形状に合わせて形成されたマット上の中敷き５が敷設され、収容体２自体の汚損が防止される。図１に示すように、収容体２の底面２ａと各側面２ｂの間には、底面２ａ及び各側面２ｂと同様に被覆部材２ｇで被覆されてなる連結部２ｆが設けられている。連結部２ｆは、収容体２の底面２ａの対向する一組の両側部に連接する側面（２ｂ１、２ｂ２）と底面２ａ間の第１連結部、収容体２の底面２ａの対向する他の一組の底面２ａ両側部に連接する側面（２ｂ３、２ｂ４）と底面２ａ間の第２連結部を有する。また、図３（ａ）に示すような、中敷き５の厚さ、即ち、紙面に対して垂直方向の厚さを（Ａ）、側面（２ｂ１、２ｂ２）の厚さを（Ｂ）とする。第１連結部２ｆ１の横幅（Ｌ１）は、少なくとも前記中敷きの厚さ（Ａ）よりも大で構成される。また、第２連結部の幅（Ｌ２）は、前記中敷き５の厚さ（Ａ）及び前記側面の厚さ（Ｂ）の和（Ａ＋Ｂ）よりも大で構成される。
【００３３】
さらに、底面２ａを挟んで対向する一組の側面（２ｂ１、２ｂ２）の各高さ（Ｈ）の和（Ｈ＋Ｈ）は、前記側面（２ｂ１、２ｂ２）の連結される前記底面２ａの対向する一組の両端部間の距離（Ｙ）と等しいか、または、小で構成される。
【００３４】
従って、連結部２ｆの存在及び側面（２ｂ１、２ｂ２）の高さの和（Ｈ＋Ｈ）が底面２ａの両端部間の距離（Ｙ）と等しいか、小で構成されることによって、ペット用ケース１の収納時においてもコンパクトに折り畳むことが可能となる。即ち、着脱部材４の解除により、展開された収容体２を折り畳むことが可能であるが、図３に示すように、以下のような工程となる。第１．に、図３（ａ）に示すように、展開された収容体２の底面２ａ上に中敷き５を載置する。また、この場合においては、底面２ａ上に載置した中敷き５を後述する係留部材７を援用し、底面２ａ上に固定可能である。第２．に、図３（ｂ）に示すように、側面２ｂ１及び側面２ｂ２を底面２ａ上方側に折り畳む。この場合において、中敷き５の厚さ（Ａ）よりも側面（２ｂ１、２ｂ２）と底面２ａを連結する第１連結部２ｆ１の幅（Ｌ１）が大で構成されるため、中敷き５の厚さ（Ａ）に第１連結部２ｆ１の幅（Ｌ１）が対応し、連結部２ｆ１が、まちとなることによって、両側面（２ｂ１、２ｂ２）を中敷き５を底面２Ａ上に載置した状態においてもコンパクトに折り畳むことが可能である。また、側面（２ｂ１、２ｂ２）の高さの和（Ｈ＋Ｈ）が底面２ａの両端部間の距離（Ｙ）と等しいか、小で構成されるため、側面（２ｂ１、２ｂ２）同士が重ならないため、折り畳み時における収容体２の厚さを抑えることが可能である。第３に、図３（ｃ）に示すように、側面２ｂ３、側面２ｂ４の順に、側面２ｂ１及び側面２ｂ２が折り重なった底面２ａ上に折り畳む。この場合において、中敷き５の厚さ（Ａ）及びすでに底面２ａ上に折り畳まれた側面（２ｂ１、２ｂ２）の厚さ（Ｂ）の和（Ａ＋Ｂ）よりも側面（２ｂ３、２ｂ４）と底面２ａを連結する連結部２ｆ２の幅（Ｌ２）が大で構成されるため、中敷き５の厚さ（Ａ）及び側面（２ｂ１、２ｂ２）の厚さ（Ｂ）の和（Ａ＋Ｂ）に第２連結部２ｆ２の幅（Ｌ２）が対応し、第２連結部２ｆ２が、まちとなることによって、両側面（２ｂ３、２ｂ４）を中敷き５及び側面（２ｂ１、２ｂ２）を底面２ａ上に載置した状態においてもコンパクトに折り畳むことが可能である。したがって、収容体２全体の厚さを抑えてコンパクトに収納可能となる。
【００３５】
図２、図３（ａ）及び図６に示すように、係留部材７は、犬や猫等のペットを収容体２内に係留する部材であり、収容体２の内側に固定された環状部材７ｃと、該環状部材７ｃが連結される連結部材７ｂ１を有する帯状部材７ａと、帯状部材７ａの先端部に設けられてペットに対して連結される連結部材７ｂ２とを有する。連結部材７ｂは、開閉自在な環状の部材からなり、例えばペットの首輪等に設けられたリング部材（図示せず）に対して連結可能である。また、帯状部材７ａは、所定の範囲で長さを調整可能である。これにより、ペットが収容体２の外部に飛び出すことがない。また、車両が急停車した場合でもペットが前方に投げ出されることを防止することができる。
【００３６】
図２（ｃ）及び図５に示すように、固定部材３は、収容体２の外側、この場合側面２ｂ４（後面）の外面側上部に互いに離間して設けられた一対の環状部材３ｂと、環状部材３ｂ同士の間に連結されて座席１０の頭部５０ｃ（図７参照）に掛け回されるベルト部材３ａを有する。
【００３７】
ベルト部材３ａは、両端に結合部材３ｃを有し、この結合部材３ｃを介して、それぞれ環状部材３ａに連結されている。結合部材３ｃは、開閉自在な環状の部材からなり、ベルト部材３ａは、環状部材３ｂに対して着脱自在である。また、ベルト部材３ａは、所定の範囲で長さを調整可能であり、ベルト部材３ａを座席１０（図５参照）に掛け回して緊張させれば、収容体２を座席５０に対して密着固定することができる。
【００３８】
なお、本実施の形態では、固定部材３にベルト部材を一本設けているが、ベルト部材は複数設けてもよく、適宜増減が可能である。また、ベルト部材３ａを掛け回す座席１０（図５参照）の部位についても、適宜変更可能である。
【００３９】
また、収容体の側面２ｂ４の外側中央には縦長帯状の固定部材８が設けられている。固定部材８は、被覆部材２ｇと同一の素材からなり、車両の座席１０（図５参照）が有するシートベルト５１を使用して座席１０上に固定するものであり、収容体２の側面２ｂ４上に設けられ、シートベルト１１を挿通する開口部８ａを有する。固定部材８の長手方向両端部及び長手方向略中央部は、側面２ｂ４外側に縫製されて固定されており、固定部材８の長手方向各両端部及び長手方向略中央部の縫製された個所の間に開口部８ａが２個所設けられている。
したがって、図５に示すように、シートベルト１１を開口部８ａに挿通して固定すれば、座席１０上にペット用ケース１を密着固定することが可能であり、しかも座席１０が有するシートベルト１１を利用可能であることから、ペット用ケース１全体の低コスト化を達成することができる。
【００４０】
また、収容体２を組み立てる工程について説明する。図２に示すように、着脱部材４をＸ方向に引き上げれば、側面２ｂ１と側面２ｂ３、側面２ｂ２と側面２ｂ３、側面２ｂ１と側面２ｂ４、側面２ｂ２と側面２ｂ４とを互いに固定して収容体２を展開した状態から容易に組み立て可能である。
【００４１】
また、組み立てた状態の収容体２を展開する場合には、、着脱部材４のすべり金具４ａをＸ’矢印方向（矢印Ｘと逆方向）に移動すれば、側面２ｂ同士の固定を解除して容易に展開可能であり、ペット用ケース１は、持ち運びや収納時の利便性が高い。
【００４２】
また、着脱部材としてのファスナ４をＸ’矢印方向に移動すれば、各側面２ｂ同士の固定を解除できるため、収容体２を完全に組み立てず、一部の側面のみを開放した状態で使用することも可能である。例えば、図８に示すように、スペースの限られた自動車内においても扉３０ａ側の側面２ｂ１のみを開放すればペットを収容体２内に収容する場合や、降車させる場合において、ペットを収容体２の上方から出し入れする必要がなく、開放された扉３０側の側面２ｂ１上を通過させてペットを容易に格納可能となるため、利便性が大幅に向上される。また、各側面２ｂが解放可能であるため、図９に示すように、ペット用ケースを座席１０の座部１０ａ上に縦型に配した場合においても、扉３０ａ側の側面２ｂ４を開放すれば、ペットの出し入れが容易に達成される。
【００４３】
次に、ペット用ケース１を自動車等の車両の座席上に固定する工程について説明する。図４に示すように、座席１０上に組み立てた状態の収容体２を側面２ｂ４（後面）が背部１０ｂと当接するように載置する。そして、図５に示すように、シートベルト１１を開口部８ａに挿通して固定すれば、座席１０上にペット用ケース１が密着固定される。さらに、固定部材３のベルト部材３ａを座席１０の頭部１０ｃに掛け回して、長さを調整して緊張させれば、収容体２を座席１０に対して密着させた状態で固定することができる。
【００４４】
そして、犬や猫等のペットを側面２ｂ３側を頭部にして収容体２内に収容し、連結部材７ｂをペットの首輪に設けられたリング部材（図示せず）に連結してペットを２本の係留部材７により係留する。
【００４５】
次に本発明によるペット用ケース用中敷きの実施の形態について、図１０乃至図１５を参照して説明する。図１０は、本発明によるペット用ケースの中敷きを示す斜視図であり、枠線内は部分拡大図、図１１の（ａ）は、図１０に示す中敷きにペットシーツを装着した場合の平面図であり、（ｂ）は、図１０に示す中敷きにペットシーツを装着した場合の底面図である。図１２は、本発明によるペット用ケースの中敷きをペット用ケースに使用した例を示す斜視図である。図１３は、本発明によるペット用ケースの中敷きに市販のスナップを使用した状態を示す斜視図であり、枠線内は部分拡大図、図１４の（ａ）は、図１０に示す中敷きのスナップの位置を変更した形態にペットシーツを装着した状態を示す平面図、（ｂ）は、図１０に示す中敷きのスナップの位置を変更した形態にペットシーツを装着した状態を示す底面図、（ｃ）は、図１０に示す中敷きのスナップの位置を変更した形態にペットシーツを装着した状態を示す底面斜視図であり、ペットシーツを一部中敷きから外した状態を示すものである。図１５は、図１０に示す中敷きから芯部を取り外した場合の斜視図である。
【００４６】
ペット用ケース１の収容体２の底面２ａ上には、ペットが座る座面を有し、底面２ａの形状に合わせて形成されたマット上の中敷き５が、敷設され、収容体２自体の汚損が防止される。また、中敷き５に、ペットシーツ６を敷くことによりペット２０の居住性を向上させるものである。このペット用ケース用中敷き５について説明する。
【００４７】
図１０に示すように、中敷き５は、ペット２０が座るマット状に形成された座面５ａ１を有し、ボールサイド５ｂ１とソケットサイド５ｂ３とからなるスナップ５ｂを複数備えている。スナップ５ｂは、係合突部を構成するボールサイド５ｂ１と係合凹部を構成するソケットサイド５ｂ３からなり、ボールサイド５ｂ１とソケットサイド５ｂ３の間にペットシーツ６を狭持して固定する。
【００４８】
ペットシーツ６は、図１１、図１２等に示すように、中敷き５の座面５ａ１とペット２０の間に介挿されて使用されるものであって、一般に市販されているものを使用可能である。概して、吸収体部分６ａと、吸収体部分６ａの周囲に設けられた周辺部分６ｂとからなるものであって、周辺部分６ｂは、吸収体部分６ａに比して薄肉で構成されており、スナップ５ｂによって挟持するに適したものである。
【００４９】
スナップ５ｂは、中敷き本体５ａの端部に配され、図１０乃至図１５に示す実施例においては、中敷き本体５ａの対向する両側端の隅に計４箇所設けられており、後述するように中敷き本体５ａの下面５ｂ２に配することが望ましい。複数箇所にスナップ５ｂを設けることによって、確実、かつ、強固にペットシーツ６を固定するものであり、下面にスナップ５ｂを配することによって、スナップ５ｂ自体の汚損及びペット２０がスナップ５ｂに接触することを防止してペット２０の居住性を向上させるものである。
【００５０】
また、ソケットサイド５ｂ３（又はボールサイド５ｂ１）は、中敷き本体５ａに配されたボールサイド５ｂ１（又はソケットサイド５ｂ３）の近傍にて少なくとも一端を中敷き本体５ａに固定された支持部５ｂ２に配されるものである。これによって、中敷き本体５ａに配されたボールサイド５ｂ１（又はソケットサイド５ｂ３）に容易にソケットサイド５ｂ３（又はボールサイド５ｂ１）を係合させることが可能である。尚、支持部５ｂ２を設けず、ボールサイド５ｂ１（又はソケットサイド５ｂ３）を単体で中敷き本体５ａに配されたソケットサイド５ｂ３（又はボールサイド５ｂ１）に取り付ける構成も可能である。
【００５１】
また、中敷き本体５ａ及び支持部５ｂ２と、スナップ５ｂは、一般的に圧着加工により、互いに固定されるものであるが、図１３に示すように、スナップ５ｂは、市販されているスナップを使用することも可能であって、スナップ５ｂのソーイングホールを介して縫製によって中敷き本体５ａと前記ボールサイド５ｂ１（又はソケットサイド５ｂ３）、支持部５ｂ２と前記ソケットサイド５ｂ３（又はボールサイド５ｂ１）を固定することも可能である。
【００５２】
また、図１１及び図１４に示すように、ペットシーツは、中敷き５の座面５ａ１を被覆して、ペットシーツ６の端部（特に周辺部分６ｂ）を中敷き５の下面５ａ２側に折り返して中敷き本体５ａの下面５ａ２側に設けられたスナップ５ｂにより狭持して固定することが好ましい。前述したように、下面にスナップ５ｂを配することによって、スナップ５ｂ自体の汚損及びペット２０がスナップ５ｂに接触することを防止してペット２０の居住性を向上させるものである。
【００５３】
尚、図１０乃至図１３及び図１５に示す実施の形態によれば、中敷き本体５ａに配した支持部５ｂ２の一端を中敷き本体５ａの端部において固定し、スナップ５ｂが中敷き本体５ａの内部を向いている。従って、図１１（ｃ）に示すように、スナップ５ｂに対して、横方向からペットシーツ６の端部を狭持し、ペットシーツ６を折り返して座面５ａ１を被覆するものである。また、図１４（ｂ）に示すように、中敷き本体５ａに配した支持部５ｂ２の一端を中敷き本体５ａの端部近傍において固定し、スナップ５ｂが中敷き本体５ａの外部を向いている構成を採ることも可能である。従って、スナップ５ｂに対して、縦方向からペットシーツ６の端部を狭持し、ペットシーツ６を折り返して座面５ａ１を被覆するものである。
【００５４】
また、中敷き本体５ａは、織布、不織布、紙材、合成樹脂、合成繊維等の素材を適宜選択して使用することができる。本実施の形態では、中敷き本体５ａが綿製の織布から形成され通気性が確保されている。また、特に、ポリエステル、コットン、ウール等のフリースや、フェルト、フランネル等の柔軟性素材を使用することによって、ペット２０の居住性を向上させることが可能である。また、中敷き５が、ペット２０の糞尿等により、汚損してしまった場合に備えて、中敷き本体５ａを中空の包袋状に構成し、内部にフリース素材からなる芯部を収納可能に構成することも可能である。これによって、中空包袋状の中敷きのみを洗浄することを可能とし、中敷き５の洗浄時における利便性の向上を図るものである。
【００５５】
また、図２（ｄ）及び図１２等に示すように、中敷き５は、如何なるペット用ケースにも使用可能である。従って、ペットシーツ６の周辺部分６ｂを複数のボールサイド５ｂ１とソケットサイド５ｂ３とからなるスナップ５ｂで挟持し、固定することによって、中敷き５の座面５ａ１を被覆し、中敷き５を収容体２の底面２ａ上に敷設することにより、ペット２０の糞尿等からペット用ケースの汚損を簡単、かつ、確実に防止し得るものである。
【００５６】
次に本発明によるペットシーツの固定機構の実施の形態について、図１６乃至図２０を参照して説明する。図１６は、本発明によるペットシーツの固定機構の分解斜視図であり、座面の一部を破断させた図、図１７（ａ）は、本発明によるペットシーツの固定機構の分解断面図、（ｂ）は、本発明によるペットシーツの固定機構の断面図である。図１８の（ａ）は、本発明によるペットシーツの固定機構の第２の実施形態を示す分解断面図であり、（ｂ）は、本発明によるペットシーツの固定機構の第２の実施形態を示す断面図である。図１９は、本発明によるペットシーツの固定機構の使用形態を示す斜視図、図２０は、本発明によるペットシーツの固定機構の第３の使用形態を示す斜視図及び一部拡大断面図である。なお、本発明によるペットシーツの固定機構は、ペット用ケース用中敷きの発明におけるペットシーツのスナップによる狭持、固定を普遍化するものであり、同一の構成を採る部分については、同一の符号を使用する。
【００５７】
本発明によるペットシーツの固定機構は、ペットシーツを前述の如きペット用ケースや、ペット用ケースを問わず、ペットが座面として使用する空間にペットシーツを固定する場合のペットシーツの固定機構に係るものであり、スナップ構造によって、ペットシーツを狭持、固定するものである。スナップ１２は、係合突部を構成するボールサイド１２ａと係合凹部を構成するソケットサイド１２ｂからなるものであって、座面１４に配された凸型のボールサイド１２ａ（又は座面に設けられた凹型のソケットサイド１２ｂ）と、ボールサイド１２ａ（又はソケットサイド１２ｂ）に嵌合し得る凹型のソケットサイド１２ｂ（又は凸型のボールサイド１２ａ）からなるスナップ１２のボールサイド１２ａの凸部１２ａ１とソケットサイド１２ｂの凹部１２ｂ１の間にペットシーツ６（特に、周辺部分６ａ）を狭持して固定するものである。
【００５８】
ペットシーツ６は、ペット２０の座面１４とペット２０の間に介挿されて使用されるものであって、一般に市販されているものを使用するものである。概して、吸収体部分６ａと、吸収体部分６ａの周囲に設けられた周辺部分６ｂとからなるものであって、周辺部分６ｂは、吸収体部分６ａに比して薄肉で構成されており、スナップ１２によって挟持するに適したものである。
【００５９】
また、図１７、図１８及び図２０に示すように、ボールサイド１２ａの凸部１２ａ１は、先端方向に拡開し、ボールサイド１２ａと嵌合可能なソケットサイド１２ｂは凹型でなり、凹部１２ｂ１の開口側の幅は底面１２ｂ２側の幅よりも漸次小で構成されている。従って、スナップ１２のボールサイド１２ａとソケットサイド１２ｂの係合がより強固、確実となり、ペットシーツ６をより強固、かつ、確実に固定することが可能である。
【００６０】
また、図１７に示すように、ボールサイド１２ａ又はソケットサイド１２ｂは、ペット用ケース等の座面１４に一体成形することも可能である。一体成形することによって、コスト性や取り扱いが向上するものである。
【００６１】
また、ボールサイド１２ａを座面１４と一体成形することができない場合においては、図１８に示すように、ボールサイド１２ａを独立した構成とし、粘着性部材１３で前記座面１４に固定する構成を採ることも可能である。粘着性部材としては、両面テープにより、簡易にボールサイド１２ａを固定する場合や、マジックテープ（登録商標）により、ボールサイド１２ａを座面１４に固定し、容易に取り外すことも可能である。
【００６２】
また、ペットシーツの固定機構の使用形態としては、図１９に示すように、スナップ１２で固定されたペットシーツ６上にペット２０が乗るものであるが、ペットシーツ６上に現れるソケットサイド１２ｂが、ペット２０に接触した場合を考慮し、図２０に示すように、ソケットサイド１２ｂの頭部を半球面状にすることによって、ペット２０が、ソケットサイド１２ｂに接触した場合においても怪我をすることを防止することが可能である。
【００６３】
また、図１６乃至図２０においては、座面１４にボールサイド１２ａが配され、ソケットサイド１２ｂが独立して、ボールサイド１２ａに係合する構成が採られているが、その逆に、ソケットサイド１２ｂが座面に設けられ、ボールサイド１２ａが独立して、ソケットサイド１２ｂに係合する構成を採ることも可能である。従って、本発明によるペットシーツの固定機構によって、ペットシーツを強固、かつ、確実、容易に座面に対して取り付けることが可能となる。
【００６４】
【発明の効果】
以上説明したように、本発明のペット用ケースによれば、不使用時においてコンパクトに収納可能であり、使用時においてはペットの出し入れが容易に達成可能であって、ペット用ケースの利便性の向上が図られるものである。また、本発明のペット用ケース用中敷き並びにペットシーツの固定機構によれば、ペットシーツを簡単な構造で容易に固定可能であって、ペット用ケース及びペットシーツの取り付けんの利便性の向上が図られるものである。
【図面の簡単な説明】
【図１】本発明によるペット用ケースを展開した状態を示す平面図である。
【図２】（ａ）及び（ｄ）は、本発明によるペット用ケースを組み立てる工程を示すものであり、（ａ）は、正面図、（ｂ）は、平面図、（ｃ）及び（ｄ）は、斜視図である。
【図３】（ａ）及び（ｄ）は、本発明によるペット用ケースを分解して、折り畳む工程を示すものであり、（ａ）乃至（ｃ）は、平面図、（ｄ）は、右側面図である。
【図４】本発明によるペット用ケースを座席上に固定した状態を示す斜視図であり、枠線内は着脱部材（ファスナ）の部分拡大図及び側面の一部を破断した部分拡大図である。
【図５】本発明によるペット用ケースを座席上に固定した状態を示す斜視図、枠線内は固定状態を示す部分拡大図である。
【図６】本発明によるペット用ケース内に、ペットを係留した状態を示す平面図である。
【図７】本発明によるペット用ケースの使用形態を示す斜視図である。
【図８】本発明によるペット用ケースにペットを出入りさせる場合の状態を示す斜視図である。
【図９】本発明によるペット用ケースを縦方向に座席上に固定した状態を示す斜視図である。
【図１０】本発明によるペット用ケースの中敷きを示す斜視図であり、枠線内は部分拡大図である。
【図１１】（ａ）は、図１０に示す中敷きにペットシーツを装着した場合の平面図、（ｂ）は、図１０に示す中敷きにペットシーツを装着した場合の底面図である。
【図１２】本発明によるペット用ケースの中敷きをペット用ケースに使用した例を示す斜視図である。
【図１３】本発明によるペット用ケースの中敷きに市販のスナップを使用した状態を示す斜視図、枠線内は部分拡大図である。
【図１４】（ａ）は、図１０に示す中敷きのスナップの位置を変更した形態にペットシーツを装着した状態を示す平面図、（ｂ）は、図１０に示す中敷きのスナップの位置を変更した形態にペットシーツを装着した状態を示す底面図、（ｃ）は、図１０に示す中敷きのスナップの位置を変更した形態にペットシーツを装着した状態を示す底面斜視図であり、ペットシーツを一部中敷きから外した状態を示すものである。
【図１５】図１０に示す中敷きから芯部を取り外した場合の斜視図である。
【図１６】本発明によるペットシーツの固定機構の分解斜視図であり、座面の一部を破断させたものである。
【図１７】（ａ）は、本発明によるペットシーツの固定機構の分解断面図、（ｂ）は、本発明によるペットシーツの固定機構の断面図である。
【図１８】（ａ）は、本発明によるペットシーツの固定機構の第２の実施形態を示す分解断面図、（ｂ）は、本発明によるペットシーツの固定機構の第２の実施形態を示す断面図である。
【図１９】本発明によるペットシーツの固定機構の使用形態を示す斜視図である。
【図２０】本発明によるペットシーツの固定機構の第３の使用形態を示す斜視図及び一部拡大断面図である。
【符号の説明】
１                ペット用ケース
２                収容体
２ａ              底面
２ｂ              側面
２ｂ１            側面
２ｂ２            側面
２ｂ３            側面
２ｂ４            側面
２ｆ              連結部
２ｆ１            第１連結部
２ｆ２            第２連結部
２ｇ              被覆部材
２ｈ              弾性部材
２ｉ              基材
３                固定部材
３ａ              ベルト部材
３ｂ              環状部材
３ｃ              結合部材
４                着脱部材（ファスナ）
４ａ              すべり金具
５                中敷き
５ａ              本体
５ａ１            座面
５ａ２            下面
５ｂ              スナップ
５ｂ１            ボールサイド
５ｂ２            支持部
５ｂ３            ソケットサイド
５ｃ              芯部
６                ペットシーツ
６ａ              吸収体部分
６ｂ              周辺部分
７                係留部材
７ａ              帯状部材
７ｂ１            連結部材
７ｂ２            連結部材
７ｃ              環状部材
８                固定部材
８ａ              開口部
１０                座席
１０ａ              座部
１０ｂ              背部
１０ｃ              頭部
１１                シートベルト
１１ａ              肩側ベルト
１１ｂ              腰側ベルト
１１ｃ              固定金具
１２                スナップ
１２ａ              ボールサイド
１２ａ１            凸部
１２ｂ              ソケットサイド
１２ｂ１            凹部
１２ｂ２            底面
１３                粘着性部材
１４                座面
２０                ペット
３０                車
３０ａ              扉
【図１】
0003871942.tif 000002
【図２】
0003871942.tif 000003
【図３】
0003871942.tif 000004
【図４】
0003871942.tif 000005
【図５】
0003871942.tif 000006
【図６】
0003871942.tif 000007
【図７】
0003871942.tif 000008
【図８】
0003871942.tif 000009
【図９】
0003871942.tif 000010
【図１０】
0003871942.tif 000011
【図１１】
0003871942.tif 000012
【図１２】
0003871942.tif 000013
【図１３】
0003871942.tif 000014
【図１４】
0003871942.tif 000015
【図１５】
0003871942.tif 000016
【図１６】
0003871942.tif 000017
【図１７】
0003871942.tif 000018
【図１８】
0003871942.tif 000019
【図１９】
0003871942.tif 000020
【図２０】
0003871942.tif 000021